(57)【要約】【課題】より変化に富む造花を得るための造花形成用リボンを提供すること。【解決手段】造花形成用リボン（１０）は、互いに重ね合わされた一対の第１のストリップ（１２）と、両第１のストリップ間をこれらの長手方向へ伸びる、第１のストリップより小さい幅寸法を有する複数の第２のストリップ（１６）と、第２のストリップ間に配置され該第２のストリップの長手方向へ伸びる少なくとも１の紐（１４）とを備える。両第１のストリップは、第２のストリップと紐とに対して両第１のストリップの長手方向へ相対移動が可能であるように、これらの長手方向に関して互いに間隔をおかれた複数の線（Ｌ）の各線上の少なくとも二箇所（Ａ）で互いに結合され、また第２のストリップと紐とが両第１のストリップにこれらの端部（Ｂ）で結合されている。【選択図】図１
0003107599.tif 000002
【実用新案登録請求の範囲】
【請求項１】
互いに重ね合わされた一対の第１のストリップと、両第１のストリップ間をこれらの長手方向へ伸びる、前記第１のストリップより小さい幅寸法を有する複数の第２のストリップと、該第２のストリップ間に配置され該第２のストリップの長手方向へ伸びる少なくとも１の紐とを備え、前記第２のストリップと前記紐とがそれぞれ両第１のストリップに対して該第１のストリップの長手方向へ相対移動が可能であるように、両第１のストリップがこれらの長手方向に関して互いに間隔をおかれた複数の線の各線上の少なくとも二箇所で互いに結合され、また前記第２のストリップと前記紐とが両第１のストリップの端部で両第１のストリップに結合されている、造花形成用リボン
【請求項２】
前記第２のストリップは前記第１のストリップより大きい長さ寸法を有する、請求項１に記載の造花形成用リボン。
【請求項３】
前記第２のストリップは互いに同じ幅寸法を有する、請求項１に記載の造花形成用リボン。
【請求項４】
前記第２のストリップは互いに異なる幅寸法を有する、請求項１に記載の造花形成用リボン。
【考案の詳細な説明】
【技術分野】
【０００１】
本考案は、贈答品のような物品や身辺の装飾、空間における飾り付け等のために用いられる造花を形成するための造花形成用リボンに関する。
【背景技術】
【０００２】
このような造花形成用リボンとして、互いに重ね合わされた一対のストリップと、両ストリップ間をこれらの長手方向へ伸びる紐とを備え、前記紐が両ストリップに対してこれらの長手方向へ相対移動が可能であるように、両ストリップがこれらの長手方向に関して互いに間隔をおかれた複数の線の各線上の少なくとも二箇所で互いに結合され、また前記紐が両ストリップの端部で該ストリップに結合されたものがある。
【０００３】
【特許文献１】実公平２−１３４４６号公報
【考案の開示】
【考案が解決しようとする課題】
【０００４】
造花は両ストリップに対してこれらの端部と反対側に向けて前記紐を相対移動させることにより形成される。前記紐の相対移動に伴い、各ストリップの線相互間部分が湾曲してループ状をなす。これらのループ状部分が前記造花の花弁をなす。
【０００５】
ところで、従来の前記造花形成用リボンにあっては、そのストリップの幅寸法、素材，色等の組み合わせを変えることにより、より変化に富む造花を得ることができるが、これには限界がある。
【０００６】
本考案の目的は、より変化に富む造花を得るための造花形成用リボンを提供することにある。
【課題を解決するための手段】
【０００７】
本考案は、造花形成用リボンに係り、互いに重ね合わされた一対の第１のストリップと、両第１のストリップ間をこれらの長手方向へ伸びる、前記第１のストリップより小さい幅寸法を有する複数の第２のストリップと、該第２のストリップ間に配置され該第２のストリップの長手方向へ伸びる少なくとも１の紐とを備え、前記第２のストリップと前記紐とがそれぞれ両第１のストリップに対して該第１のストリップの長手方向へ相対移動が可能であるように、両第１のストリップがこれらの長手方向に関して互いに間隔をおかれた複数の線の各線上の少なくとも二箇所で互いに結合され、また前記第２のストリップと前記紐とが両第１のストリップの端部で両第１のストリップに結合されている。
【０００８】
前記第２のストリップは、前記第１のストリップより大きい長さ寸法を有するもの、互いに同じ幅寸法を有するもの、又は互いに異なる幅寸法を有するものとすることができる。
【考案の効果】
【０００９】
本考案によれば、両第１のストリップに対してその端部と反対側の端部に向けて紐を相対移動させると、両第１のストリップの線間部分が湾曲してループ状に変形し、複数のループ状部分を花弁とする造花が形成される。
【００１０】
本考案にあっては、前記紐が前記第２のストリップ間にあることから、前記紐は前記第１のストリップのほかに前記第２のストリップに対しても相対移動が可能である。このことからか、前記紐の相対移動により、第１及び第２のストリップの双方にループ状部分が生じる。このとき、前記第２のストリップのループ状部分は前記第１のストリップのループ状部分内に生じるところ、前記第２のストリップは前記第１のストリップに対して相対移動可能であることから、前記第１のストリップのループ状部分内からその外部に前記第２のストリップのループ状部分を引き出して露出させることができる。また、前記第２のストリップは前記第１のストリップより幅寸法が小さいことから、前記第２のストリップの細いループ状部分が前記第１のストリップの太いループ状部分間に存することとなり、このため、より華やかな状態の花弁を現出させることができる。その結果、より変化及び装飾性に富む造花を得ることができる。
【００１１】
また、前記第２のストリップについて、その長さ寸法を第１のストリップより長いものとすることにより前記第１のストリップのループ状部分からの前記第２のストリップのループ状部分の引き出し量をより長いものにすることができ、また、その幅寸法の大きさの設定により、多彩なループ状部分すなわち花弁を有する造花又は別異の華やぎを持つ造花を得ることができる。
【考案を実施するための最良の形態】
【００１２】
図１を参照すると、本発明に従う造花形成用リボンが全体に符号１０で示されている。
【００１３】
造花形成用リボン１０は、互いに重ね合わされた一対のストリップ１２と、両第１のストリップ１２間をこれらの長手方向へ伸びる少なくとも１つ（図示の例では一対）の紐１４とを備える。
【００１４】
造花形成用リボン１０は、さらに、両第１のストリップ１２間に配置され該第１のストリップの長手方向へ伸びる、第１のストリップ１２より小さい幅寸法を有する複数（図示の例では一対）の第２のストリップ１６を備える。紐１４は両第２のストリップ１６間に配置されかつ重ね合わされている。
【００１５】
図示の例では、第１のストリップ１２、紐１４及び第２のストリップ１６が共に同じ長さ寸法を有するものに設定されているが、これに代えて、紐１４又は第２のストリップ１６の長さ寸法を第１のストリップ１２より大きいものに設定することができる。
【００１６】
また、図示の例では、紐１４と第２のストリップ１６とが共に同じ幅寸法を有するものに設定されているが、これに代えて、異なる幅寸法を有するものに設定することができる。さらに、紐１４の数量及び第２のストリップ１６数量は任意に設定することができる。
【００１７】
両第１のストリップ１２は、両第１のストリップ１２の長手方向に関して互いに間隔をおかれた複数の線Ｌの各線Ｌ上の少なくとも二箇所（結合個所）Ａで互いに結合されている。これにより、第２のストリップ１６と紐１４とがそれぞれ両第１のストリップ１２に対して該第１のストリップの長手方向へ相対移動が可能である。
【００１８】
また、両紐１４と両第２のストリップとはこれらの一端部で、両ストリップ１２にこれらの一端部で、より詳細には該一端部の二個所（結合個所）Ｂで結合されている。
【００１９】
図示の第１のストリップ１２、紐１４及び第２のストリップ１６は、好ましくは、共にポリビニル・アセテート繊維のような合成繊維からなる織物や、合成樹脂製のテープからなり、超音波、熱等を利用した既知の接合方法を用いて、結合個所Ａ，Ｂにおける相互結合を行うことができる。また、さらに、第１のストリップ１２、第２のストリップ１６及び紐１４の素材は、前記合成繊維製に代えて、例えば天然繊維製とすることができる。前記天然繊維製の場合における結合個所Ａ，Ｂの結合は、糸による縫い合わせ、接着剤による接着等によることができる。さらに、第１のストリップ１２、第２のストリップ１６及び紐１４に付すべき色、模様等は任意に設定することができる。
【００２０】
この造花形成用リボン１０によれば、図２に示すように、両第１のストリップ１２及び両第２のストリップ１６に対して両紐１４をこれらの長手方向に相対移動させること、図示の方法では右手で挟み持った紐１４に沿って左手で両ストリップ１２，１６を押し上げることにより、造花２０（図３及び図４参照）形成することができる。このとき、結合個所Ａ，Ｂ間及び結合個所Ａ，Ａ間において、第１及び第２の両ストリップ１２，１６の一部が張り出し、それぞれ、ループ状をなす。これらのループ状部分２２，２４は後述するように造花２０における花弁をなす。
【００２１】
両第１のストリップ１２を相互に結合する結合個所Ａを通る、互いに隣り合う両線Ｌの交差角度は任意に設定することができる。両線Ｌの交差角度の大きさは、互いに相対するループ状部分２２，２４の開き角度の大きさを規定する。
また、線Ｌの相互間隔も任意に設定することができ、この間隔はループ状部分２２の長さを規定する。線Ｌの相互間隔は、例えば同一に、あるいは第１のストリップ１２の前記一端部からその他端部に向けて漸増するように設定することができる。
【００２２】
紐１４の相対移動が終了したとき、第１のストリップ１２の一部（２２）と共に張り出した第２のストリップ１６の一部（２４）は、第１のストリップのループ状部分２２内にあってこれに張り付いた状態となっているところ、第２のストリップ１６は第１のストリップ１２に対して相対移動可能であることから、第２のストリップのループ状部分２４を第１のストリップのループ状部分２２内から引き出してこれらのループ状部分２２相互間に露出させることができる。
【００２３】
比較的幅寸法の大きいループ状部分２２間に混在する比較的細幅のループ状部分２４は、造花の花弁の有り様をより華やかにする。
【００２４】
第２のストリップ１６の数量を図示の例より多い３以上とするときは、前記花弁相互の間隔をより密にすることができ、これにより造花をより華やかにすることができる。
【００２５】
また、第２のストリップ１６の長さ寸法を第１のストリップ１２と比べてより長いものとすることにより、第１のストリップ１２のループ状部分２２からの第２のストリップ１６のループ状部分２４の引き出し量をより長いものにすることができる。また、第２のストリップ１６の幅寸法の大きさの設定により、得られる造花の華やぎに更なる変化を与えることができる。さらに、複数の第２のストリップ１６同士の幅寸法を同一とする図示の例に代えて、異なるものとするときは、より変化に富んだ造花とすることができる。
【図面の簡単な説明】
【００２６】
【図１】本発明に係る造花形成用リボンの斜視図である。
【図２】造花形成用リボンを造花に形成する過程を示す斜視図である。
【図３】得られた造花の正面図である。
【図４】造花の背面図である。
【符号の説明】
【００２７】
１０  造花形成用リボン
１２  第１のストリップ
１４  紐
１６  第２のストリップ
２０  造花
２２  第１のストリップのループ状部分
２４  第２のストリップのループ状部分
【図１】
0003107599.tif 000003
【図２】
0003107599.tif 000004
【図３】
0003107599.tif 000005
【図４】
0003107599.tif 000006